(57)【特許請求の範囲】
【請求項１】
地面に立てられたポールに取り付けられる照明器具であって、上面が開口した箱状に形成され、光源を含む点灯ユニットを内部に収容する器具本体と、前記器具本体に取り付けられて前記上面の開口を塞ぐカバーと、前記器具本体を前記ポールに固定するためのアームとを備え、
前記アームは、前記器具本体に固定される第１固定部と、前記ポールに固定される第２固定部とを有し、
前記器具本体は、外周面で前記第１固定部と接触する周壁と、前記周壁に設けられた、ボルトを挿通するための１つ又は複数のボルト挿通孔とを有し、
前記第１固定部は、１つ又は複数の前記ボルト挿通孔にそれぞれ挿通される１つ又は複数の前記ボルトがねじ込まれる１つ又は複数の雌ねじ部を有し、
前記ボルト挿通孔及び前記雌ねじ部は、開口した前記上面の法線に対して、前記ボルトが差し込まれる向きをゼロより大きく、直角よりも小さい角度に傾けて設けられていることを特徴とする照明器具。
【請求項２】
前記点灯ユニットは、１つ又は複数の前記光源と、前記光源が一方の面に設けられた取付板とを有し、前記取付板は、前記光源が下方に向くように前記器具本体に固定され、かつ、前記器具本体内において前記ボルト挿通孔の開口端よりも下方に配置されていることを特徴とする請求項１記載の照明器具。
【請求項３】
前記光源に給電して点灯させる電源装置を備え、前記電源装置は、前記取付板の他方の面において前記ボルト挿通孔から離れた位置に配置されていることを特徴とする請求項２記載の照明器具。
【発明の詳細な説明】
【技術分野】
【０００１】
本発明は、照明器具に関し、より詳細には、ポールに取り付けられて道路照明などに用いられる照明器具に関する。
【背景技術】
【０００２】
従来例として、特許文献１記載の照明器具を例示する。特許文献１記載の照明器具（以下、従来例という）は、道路脇に立てられた照明用のポールから水平方向に突出するアームに取り付けられている。この従来例は、器具本体及びカバーからなるハウジングと、ハウジング内に設けられた収容空間に収容される光源（ＨＩＤランプなど）とを備えている。器具本体は、表面形状が楕円形で上下の壁面が開口した筒状の収納箱部と、アームに器具本体を保持させるためのアームかん合部とを有する。アームかん合部は、アームの外形よりも若干内径の大きい円筒状に形成されている。器具本体は、アームかん合部にアームの先端部分が挿入され、アームかん合部の外からアームがねじ止めされてアームに固定されている。なお、カバーは、器具本体のアームかん合部側の端部にヒンジを介して回転可能に連結されており、器具本体の上側の開口を塞ぐ位置と、上側の開口を開放する位置との間で開閉可能に構成されている。
【先行技術文献】
【特許文献】
【０００３】
【特許文献１】特開２０１２−１１３９１０号公報
【発明の概要】
【発明が解決しようとする課題】
【０００４】
ところで、上記従来例は、アームかん合部をアームにねじ止めするためのねじが、器具本体の上側の開口面（器具本体の上側の開口縁を含む仮想平面）の法線方向に沿って、アームかん合部にねじ込まれるように構成されている。そのため、上記従来例では、ねじを締め込む作業において、カバーが邪魔になる可能性があり、組立の作業性の向上が望まれていた。
【０００５】
本発明は、上記課題に鑑みてなされており、組立の作業性の向上を図ることを目的とする。
【課題を解決するための手段】
【０００６】
本発明の照明器具は、地面に立てられたポールに取り付けられる照明器具であって、上面が開口した箱状に形成され、光源を含む点灯ユニットを内部に収容する器具本体と、前記器具本体に取り付けられて前記上面の開口を塞ぐカバーと、前記器具本体を前記ポールに固定するためのアームとを備え、前記アームは、前記器具本体に固定される第１固定部と、前記ポールに固定される第２固定部とを有し、前記器具本体は、外周面で前記第１固定部と接触する周壁と、前記周壁に設けられた、ボルトを挿通するための１つ又は複数のボルト挿通孔とを有し、前記第１固定部は、１つ又は複数の前記ボルト挿通孔にそれぞれ挿通される１つ又は複数の前記ボルトがねじ込まれる１つ又は複数の雌ねじ部を有し、前記ボルト挿通孔及び前記雌ねじ部は、開口した前記上面の法線に対して、前記ボルトが差し込まれる向きをゼロより大きく、直角よりも小さい角度に傾けて設けられていることを特徴とする。
【発明の効果】
【０００７】
本発明の照明器具は、組立の作業性の向上を図ることができるという効果がある。
【図面の簡単な説明】
【０００８】
【図１】本発明の実施形態に係る照明器具を示し、図１Ａは正面図、図１Ｂは平面図、図１Ｃは下面図、図１Ｄは背面図、図１Ｅは右側面図である。
【図２】本発明の実施形態に係る照明器具の分解斜視図である。
【図３】本発明の実施形態に係る照明器具における器具本体の平面図である。
【図４】本発明の実施形態に係る照明器具におけるアーム取付台座を示す斜視図である。
【図５】本発明の実施形態に係る照明器具における点灯ユニットの正面図である。
【図６】本発明の実施形態に係る照明器具において、１つのＬＥＤユニットのレンズを省略し、他の１つのＬＥＤユニットのレンズとホルダを省略した点灯ユニットの下面図である。
【図７】本発明の実施形態に係る照明器具における点灯ユニットの右側面図である。
【図８】本発明の実施形態に係る照明器具におけるアームを含む一部省略した断面斜視図である。
【図９】本発明の実施形態に係る照明器具のカバーを省略した平面図である。
【図１０】本発明の実施形態に係る照明器具の正面断面図である。
【発明を実施するための形態】
【０００９】
以下、本発明の実施形態に係る照明器具Ｘについて、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本発明の実施形態に係る照明器具Ｘ（以下、照明器具Ｘという）は、地面に立てられたポール（図示せず）の上端に取り付けられ、ポールの周囲の道路（車道や歩道）などを照明するための道路灯（あるいは街路灯）である。ただし、以下の説明においては、特に断りのない限り、図２において上下、左右、前後の各方向を規定する。つまり、ポールの軸方向（鉛直方向）を上下方向とし、アーム５の側を後、アーム５と反対側を前とする。
【００１１】
照明器具Ｘは、図１Ａ〜図１Ｅ及び図２に示すように、器具本体１、カバー２、点灯ユニット３、グローブ４、アーム５などを備えている。器具本体１は、アルミ又はアルミ合金などの金属材料により、上面が開口した箱状に形成されている。より詳細には、器具本体１は、椀（bowl）状に形成されている。また、器具本体１は、図２及び図３に示すように、底の部分に開口した円形の窓孔１０と、窓孔１０の周囲を全周に渡って囲む周壁１１と、周壁１１の内周面から内向き、かつ、階段状に突出している第１段部１２及び第２段部１３とを備えている。第１段部１２は、周壁１１の上下方向におけるほほ中央に在り、上から見て円環状に形成されている。第２段部１３は、第１段部１２の内側に在り、上から見て円環状に形成されている。また、第２段部１３は、第１段部１２の下に配置されている。つまり、第２段部１３の内周縁は、上から見て窓孔１０の周縁と繋がっている（図３参照）。なお、第１段部１２及び第２段部１３は、いずれも窓孔１０の開口面（窓孔１０の周縁を含む仮想の平面）とほぼ平行かつ平坦に形成されている。
【００１２】
第１段部１２は、複数（図示例では６つ）の雌ねじ部１２０が周方向に沿ってほぼ等間隔に並ぶように設けられている（図２及び図３参照）。なお、これら６つの雌ねじ部１２０は、軸方向を上下方向に一致させて上向きに開口するように形成されている。
【００１３】
さらに、器具本体１は、周壁１１の上端面に複数（図示例では６つ）のボス１４が周方向に沿って等間隔に並ぶように設けられている（図２及び図３参照）。これら６つのボス１４は、軸方向を上下方向とする円柱状に形成され、軸方向に沿ったねじ孔１４０をそれぞれ有している。これらのねじ孔１４０は、ボス１４の上底面に上向きに開口している。
【００１４】
また、器具本体１は、アーム取付台座１５を備えている。アーム取付台座１５は、図４に示すように、周壁１１の後部において、周壁１１の外周面から突出する角錐台状に形成されている。また、アーム取付台座１５は、一対のボルト挿通孔１５０と、通線孔１５１とを有している。一対のボルト挿通孔１５０は、アーム取付台座１５及び周壁１１を貫通して円筒形状に形成されている。また、通線孔１５１は、一対のボルト挿通孔１５０の間において、アーム取付台座１５及び周壁１１を貫通して長円筒形状に形成されている（図２〜図４参照）。
【００１５】
カバー２は、図１Ｂ及び図２に示すように、上下方向から見た形状が円形であるカバー本体２０と、カバー本体２０の周縁から下向きに突出している突壁２１とを有している。また、カバー本体２０は、前後方向及び左右方向から見た形状が、上向きに凸となる弧状に形成されている（図１Ａ、図１Ｄ及び図１Ｅ参照）。なお、カバー２は、例えば、アルミ板などの金属板が絞り加工されることでカバー本体２０と突壁２１が一体に形成されている。
【００１６】
カバー本体２０の周縁近傍には、複数（図示例では６つ）の凹部２２が周方向に沿って等間隔に並ぶように設けられている（図１Ｂ及び図２参照）。さらに、これら６つの凹部２２の底に、それぞれ円形のねじ挿通孔２２０が設けられている。
【００１７】
カバー２は、突壁２１の先端（下端）を周壁１１の先端（上端）に向き合わせるようにして器具本体１の上に被せられている（図１Ａ、図１Ｄ及び図１Ｅ参照）。そして、カバー本体２０に設けられている６つのねじ挿通孔２２０にそれぞれ挿通される６本の固定ねじ２３が、器具本体１の６つのボス１４に設けられているねじ孔１４０にそれぞれねじ込まれている（図１Ｂ及び図２参照）。つまり、カバー２は、器具本体１の周壁１１にねじ止めされて器具本体１の上面（周壁１１の上端を含む仮想平面）の開口を覆っている。ただし、器具本体１の周壁１１とカバー２の突壁２１との間に、シリコーンゴムなどで円環状に形成されている防水パッキン（図示せず）が配置され、周壁１１と突壁２１の間の隙間から器具本体１内への雨水の浸入が防止されることが好ましい。
【００１８】
グローブ４は、グローブ本体４０と外鍔部４１を有している。グローブ本体４０と外鍔部４１は、透光性を有する材料（例えば、ポリカーボネート樹脂）で一体に形成されていることが好ましい（図２参照）。ただし、グローブ４を形成する透光性材料は、アクリル樹脂やガラスなどでも構わない。グローブ本体４０は、上下方向から見た形状が円形であり、前後方向及び左右方向から見た形状が下向きに凸となる弧状に形成されている透光部４００と、透光部４００の周縁から上向きに突出した円筒形状の外周壁４０１とを有している。外鍔部４１は、グローブ本体４０の外周壁４０１の上端から全周に渡って外向きに突出した円環状に形成されている。また、外鍔部４１は、シリコーンゴム製の防水パッキン４２が装着されている。この防水パッキン４２は、上下方向から見て円環状に形成されている。防水パッキン４２は、内周面に全周に渡って形成されている溝４２０（図２参照）に外鍔部４１がかん合されている。
【００１９】
点灯ユニット３は、図２及び図５〜図７に示すように、複数（図示例では４つ）のＬＥＤユニット３０、取付板３１、電源ユニット３２などを有している。なお、以下の説明では、図６において、左上のＬＥＤユニット３０を第１ＬＥＤユニット３０Ａと呼び、右上のＬＥＤユニット３０を第２ＬＥＤユニット３０Ｂと呼ぶ場合がある。同じく、左下のＬＥＤユニット３０を第３ＬＥＤユニット３０Ｃと呼び、右下のＬＥＤユニット３０を第４ＬＥＤユニット３０Ｄと呼ぶ場合がある。ただし、４つのＬＥＤユニット３０（第１ＬＥＤユニット３０Ａ、第２ＬＥＤユニット３０Ｂ、第３ＬＥＤユニット３０Ｃ及び第４ＬＥＤユニット３０Ｄ）は、全て同一の構造を有している。
【００２０】
ＬＥＤユニット３０は、図６に示すように、ＬＥＤモジュール３００、ホルダ３０１、レンズ３０２、絶縁カバー３０３、取付台３０４などを備えている。ただし、図６においては、第２ＬＥＤユニット３０Ｂ及び第４ＬＥＤユニット３０Ｄのレンズ３０２と、第４ＬＥＤユニット３０Ｄのホルダ３０１の図示が省略されている。
【００２１】
ＬＥＤモジュール３００は、矩形板状のセラミックス製のパッケージ３０００の表面に円板状の発光部３００１を備えている（図６における第４ＬＥＤユニット３０Ｄ参照）。発光部３００１は、パッケージ３０００の表面に実装されている多数のＬＥＤチップ（図示せず）がシリコーン樹脂などの透光性を有する封止樹脂で封止されて構成されている。多数のＬＥＤチップは、例えば、青色光を放射する青色ＬＥＤチップである。ＬＥＤモジュール３００は、これらのＬＥＤチップから放射される青色光の一部を、封止樹脂に混入されている蛍光体で黄色光に波長変換し、青色光と黄色光の混色により、発光部３００１から白色光を放射するように構成されている。また、パッケージ３０００の端部には一対の端子台３００２が実装されている。これら一対の端子台３００２は、パッケージ３０００の表面に形成されている一対の電極（アノード電極とカソード電極）にそれぞれ各別かつ電気的に接続されている。そして、各端子台３００２には、それぞれ給電用の電線３０５が電気的に接続されている（図６参照）。ただし、電線３０５は、端子台３００２を介さずに、一対の電極（アノード電極とカソード電極）に直接接続されても構わない。
【００２２】
ＬＥＤモジュール３００は、絶縁カバー３０３を介して取付台３０４に取り付けられている。取付台３０４は、アルミ板又はアルミ合金板によって多角形（図示例では８角形）状に形成されている。絶縁カバー３０３は、電気絶縁性を有する合成樹脂材料によって矩形の枠状に形成され、内側にＬＥＤモジュール３００が嵌め込まれている（図６における第４ＬＥＤユニット３０Ｄ参照）。ホルダ３０１は、電気絶縁性を有する合成樹脂材料によって、おおよそ５角形の板状に形成されている。ホルダ３０１は、厚み方向に貫通する貫通孔３０１０を有している。この貫通孔３０１０は、内周面が円錐台状に形成されている。ホルダ３０１は、絶縁カバー３０３との間でＬＥＤモジュール３００を挟み込むようにして、取付台３０４にねじ止めされている（図６における第２ＬＥＤユニット３０Ｂ参照）。なお、ＬＥＤユニット３０の発光部３００１は、ホルダ３０１の貫通孔３０１０を通して露出している。レンズ３０２は、例えば、ポリカーボネート樹脂やアクリル樹脂などの透光性を有する合成樹脂材料により、おおよそ半楕円体形状に形成されている。また、レンズ３０２は、長軸方向の両端からＬ字形の脚３０２０が外向きに突出している（図５〜図７参照）。これら一対の脚３０２０には、厚み方向に貫通する挿通孔が形成されている。レンズ３０２は、ＬＥＤユニット３０の厚み方向（上下方向）から見て発光部３００１を覆うようにして、一対の脚３０２０の挿通孔に挿通されているねじ３０６で取付台３０４にねじ止めされている（図５〜図７参照）。ただし、レンズ３０２は、短軸方向における後端側（電線３０５が引き出されている側）に凹み３０２１が形成されている（図６における第３ＬＥＤモジュール３０Ｃ参照）。この凹み３０２１により、ホルダ３０１の貫通孔３０１０の内周面の一部に反射した発光部３００１の光がレンズ３０２に入射せずに後方へ出射される。
【００２３】
取付板３１は、アルミ又はアルミ合金の板材によって、おおよそ円板状に形成されている。なお、以下の説明では、取付板３１の２つの表面のうち、ＬＥＤユニット３０が取り付けられている表面を第１取付面３１０（図６参照）と呼び、電源ユニット３２が取り付けられている表面を第２取付面３１１（図２参照）と呼ぶ。取付板３１の端縁の近傍には、６つのねじ挿通孔３１３が周方向に沿って間隔を空けて貫通している（図２及び図６参照）。
【００２４】
４つのＬＥＤユニット３０は、取付板３１の第１取付面３１０の中央に、縦方向（前後方向）及び横方向（左右方向）にそれぞれ２列ずつに並べて取り付けられている。なお、４つのＬＥＤユニット３０は、それぞれ取付台３０４がねじ止めされて取付板３１に固定されている（図６参照）。また、取付板３１は、４つのＬＥＤユニット３０が有している１対の電線３０５がそれぞれ各別に挿通される、４つの貫通孔３１２を備えている（図６参照）。つまり、４対の電線３０５は、それぞれ取付板３１の第１取付面３１０側から貫通孔３１２に挿通されて第２取付面３１１側へ引き出されている。
【００２５】
ここで、取付板３１の第１取付面３１０において、第１ＬＥＤユニット３０Ａと第２ＬＥＤユニット３０Ｂの後方、並びに第３ＬＥＤユニット３０Ｃと第４ＬＥＤユニット３０Ｄの後方に、それぞれ反射部材３３が配置されている（図５〜図７参照）。これら２つの反射部材３３は、図５〜図７に示すように、長尺の反射板３３０と、反射板３３０の長手方向に沿った一方の端から反射板３３０の厚み方向に沿って突出する固定片３３１とを有している。反射板３３０は、短手方向に沿って弧状に湾曲している（図７参照）。また、反射板３３０は、長手方向の長さを、ＬＥＤユニット３０の取付台３０４の長手方向の長さの２倍よりも短くしないように形成されている（図６参照）。なお、反射板３３０と固定片３３１は、例えば、アルミ板の打ち抜き加工及び曲げ加工により、一体に形成されることが好ましい。そして、これら２つの反射部材３３は、固定片３３１の長手方向の両端と中央がねじ止めされて取付板３１にそれぞれ固定されている（図６参照）。
【００２６】
電源ユニット３２は、図２に示すように、電源装置３２０、制御装置３２１、固定部材３２２を有している。電源装置３２０は、４つのＬＥＤユニット３０に直流電力を給電する電源回路（図示せず）と、電源回路を内部に収容している金属製の第１ケース３２００とを備えている。電源回路は、例えば、商用の電力系統から供給される交流電圧・交流電流を整流する整流器、整流器で整流された脈流電圧・脈流電流を直流電圧・直流電流に変換するＤＣ／ＤＣコンバータなどを有している。また、電源回路は、交流電圧・交流電流の電路となる電源線（図示せず）と電気的に接続される入力端子台、ＤＣ／ＤＣコンバータの出力端を、４つのＬＥＤユニット３０の電線３０５とそれぞれ電気的に接続する出力端子台なども有している。電源回路は、１枚又は複数枚のプリント配線板に、整流器やＤＣ／ＤＣコンバータを構成する回路部品、並びに入力端子台、出力端子台などが実装されて構成されている。なお、電源回路は、外部から交流電圧・交流電流が供給されているときに動作して直流電圧・直流電流を出力し、外部から交流電圧・交流電流が供給されないときに停止している。例えば、電源回路は、光電式自動点滅器（図示せず）を介して電力系統から交流電圧・交流電流が供給され、周囲の明るさが光電式自動点滅器の動作照度の範囲内である時間帯（例えば、日の入りから日の出までの時間帯）に動作するように構成されている。
【００２７】
制御装置３２１は、電源装置３２０の電源回路を制御する制御回路（図示せず）と、制御回路を内部に収容している金属製の第２ケース３２１０とを備えている。制御回路は、例えば、ＤＣ／ＤＣコンバータを制御して段調光とタイマ制御を行うように構成されている。つまり、制御回路は、点灯開始時点（外部から交流電圧・交流電流の供給が開始された時点）からの経過時間を内蔵タイマで経時している。そして、経過時間が調光開始時間に達すると、制御回路は、電源回路のＤＣ／ＤＣコンバータを制御して電源装置３２０の出力電流の電流値を定格値よりも小さくして段調光を行う。なお、制御回路は、外部から交流電圧・交流電流の供給が停止すると電源回路とともに動作を停止し、内蔵タイマによる経過時間の経時もリセット（初期化）される。ただし、上述した制御回路の制御動作は一例に過ぎず、例えば、外付けのタイムスイッチ（図示せず）から入力される制御信号に応じて、制御回路が段調光を行っても構わない。制御回路は、１枚又は複数枚のプリント配線板（図示せず）に、制御用の集積回路や制御電源回路、電源回路への制御信号を出力するための信号端子台、段調光のレベルや調光開始時間を設定するための切替スイッチなどが実装されて構成されている。なお、制御回路は、電源回路と同様に、外部から交流電圧・交流電流が供給されているときに動作し、外部から交流電圧・交流電流が供給されないときに停止している。
【００２８】
固定部材３２２は、図２、図５及び図７に示すように、第１取付部３２２０、一対の固定部３２２１、一対の連結部３２２２、第２取付部３２２３並びに立壁部３２２４を有している。第１取付部３２２０は、長尺の矩形板状に形成されている。一対の固定部３２２１は、長手方向の長さが第１取付部３２２０の短手方向の長さに等しい、幅細の矩形板状にそれぞれ形成されている。なお、一対の固定部３２２１は、長手方向の両端近くに、それぞれ貫通孔（図示せず）が設けられている。一対の連結部３２２２は、長手方向の長さが第１取付部３２２０の短手方向の長さに等しい、幅細の矩形板状にそれぞれ形成されている。そして、一対の連結部３２２２は、長手方向に沿った一端において、第１取付部３２２０の短手方向に沿った一端と連結され、長手方向に沿った他端において、一対の固定部３２２１の長手方向に沿った一端と各別に連結されている。立壁部３２２４は、長手方向の長さが第１取付部３２２０の長手方向の長さに等しい、矩形板状に形成されている。立壁部３２２４は、第１取付部３２２０の長手方向に沿った一端から、連結部３２２２と反対の方向へ立ち上がっている。第２取付部３２２３は、長手方向の長さが第１取付部３２２０の長手方向の長さに等しい、矩形板状に形成されている。第２取付部３２２３は、立壁部３２２４の長手方向に沿った先端から第１取付部３２２０と反対の方向へ突出している。なお、第１取付部３２２０、一対の固定部３２２１、一対の連結部３２２２、第２取付部３２２３並びに立壁部３２２４は、例えば、亜鉛めっき鋼板などの金属板が打ち抜き加工及び曲げ加工されて一体に形成されることが好ましい。
【００２９】
第１取付部３２２０に電源装置３２０が取り付けられている。電源装置３２０は、第１ケース３２００に設けられている一対の突片３２０１が第１取付部３２２０にねじ止めされている（図２及び図５参照）。ただし、第１ケース３２００と第１取付部３２２０との間には、電気絶縁性を有する熱伝導シート３２３が挟み込まれている（図２参照）。また、第２取付部３２２３に制御装置３２１が取り付けられている。制御装置３２１は、第２ケース３２１０に設けられている一対の突片３２１１が第２取付部３２２３にねじ止めされている（図２及び図５参照）。
【００３０】
一対の固定部３２２１は、両端の貫通孔にそれぞれ挿通されるねじが、取付板３１に設けられているねじ孔（図示せず）にねじ込まれることにより、取付板３１にねじ止めされている。ここで、固定部材３２２は、取付板３１の第２取付面３１１に取り付けられた状態において、一対の連結部３２２２により、第１取付部３２２０と取付板３１（の第２取付面３１１）との間に隙間ＳＳが設けられている（図５参照）。すなわち、第１取付部３２２０と取付板３１との間に隙間ＳＳが設けられていることにより、第１取付部３２２０と取付板３１（の第２取付面３１１）との間に空気層が形成される。そのため、第１取付面３１０に取り付けられている４つのＬＥＤユニット３０から発せられる熱は、固定部材３２２（特に第１取付部３２２０）に伝わり難くなっている。なお、第１取付部３２２０は、一対の固定部３２２１及び連結部３２２２を介して取付板３１と熱的に結合されている。しかしながら、固定部材３２２が、取付板３１を形成する金属材料（例えば、アルミ）よりも熱伝導率の十分に小さい金属材料（例えば、鋼板）で形成されていれば、取付板３１から第１取付部３２２０への熱の伝わりを抑制することができる。
【００３１】
また、取付板３１に設けられている４つの貫通孔３１２は、固定部材３２２の第１取付部３２２０によって上から覆い隠されている。しかしながら、貫通孔３１２から第２取付面３１１側に引き出されている電線３０５は、第１取付部３２２０と取付板３１との間に設けられている隙間ＳＳに通されて電源装置３２０（の出力端子台）と電気的に接続されることができる。
【００３２】
アーム５は、器具本体１に固定される第１固定部５０と、ポールに固定される第２固定部５１とを有している（図１Ｅ及び図２参照）。なお、第１固定部５０と第２固定部５１は、アルミダイカストによって一体に形成されることが好ましい。第２固定部５１は、円筒形状に形成されている。第２固定部５１は、径方向（厚み方向）に貫通する複数（図示例では４つ）のねじ孔５１０が設けられている（図１Ｄ参照）。第２固定部５１は、ポールの先端に設けられている小径部分（図示せず）に上から被せられ、４つのねじ孔５１０にねじ込まれたねじの先端がポールの小径部分に当たることによってポールに固定されている。ここで、第２固定部５１内には、電線固定部材５２が収容されている。電線固定部材５２は、長尺の矩形平板状に形成されている。電線固定部材５２は、図１Ｄ及び図１Ｅに示すように、後面に複数（図示例では４つ）のケーブル固定具５２０がねじ止めされている。電線固定部材５２の上部にねじ止めされている２つのケーブル固定具５２０のうちの一方のケーブル固定具５２０には、電源装置３２０に交流電圧・交流電流を入力するための一対の電線（図示せず）が固定されている。なお、この一対の電線は口出し線と呼ばれる。そして、電線固定部材５２の上部にねじ止めされている２つのケーブル固定具５２０のうちの他方のケーブル固定具５２０には、制御装置３２１に外付けのタイムスイッチを接続するための信号線（図示せず）が固定されている。さらに、電線固定部材５２の下部にねじ止めされている２つのケーブル固定具５２０のうちの一方のケーブル固定具５２０には、ポール内に立上げ配線されている電源線（図示せず）が固定されている。なお、この電源線は、口出し線と電気的に接続されている。また、電線固定部材５２の下部にねじ止めされている２つのケーブル固定具５２０のうちの他方のケーブル固定具５２０には、外付けのタイムスイッチに接続されている信号線（調光線）が固定されている。なお、この調光線（図示せず）は、信号線と電気的に接続されている。
【００３３】
第１固定部５０は、第２固定部５１の上部から前方へ突出している。第１固定部５０は、概ね三角柱状に形成されている。また、第１固定部５０は、上面が開口されている。なお、第１固定部５０の上面の開口は、取り外し可能な蓋５３によって塞がれている（図１Ｂ及び図２参照）。第１固定部５０の前端には、器具本体１のアーム取付台座１５とかん合する凹所５００が設けられている（図２参照）。さらに、凹所５００の底には、図２に示すように、複数（図示例では２つ）の雌ねじ部５０１と、電線挿通孔５０２とが設けられている。２つの雌ねじ部５０１は、凹所５００の底から前方へ斜め上向きに突出する円筒状の突起（ボス）の内周面に形成されている。なお、これら２つの雌ねじ部５０１は、凹所５００の底において左右方向に間隔を空けて設けられている。電線挿通孔５０２は、２つの雌ねじ部５０１の間において、凹所５００の底を貫通して長円筒形状に形成されている（図２参照）。
【００３４】
２つの雌ねじ部５０１は、図８に示すように、器具本体１のアーム取付台座１５に第１固定部５０がかん合されている状態において、器具本体１の一対のボルト挿通孔１５０と各別に繋がっている。したがって、一対のボルト挿通孔１５０に挿通される２つのボルト１５２が２つの雌ねじ部５０１に各別にねじ込まれることにより、アーム５の第１固定部５０が器具本体１のアーム取付台座１５にねじ止めされて固定されている。また、第１固定部５０がアーム取付台座１５に固定された状態において、アーム取付台座１５の通線孔１５１と第１固定部５０の電線挿通孔５０２とが繋がっている。そして、電源装置３２０から引き出されている口出し線及び制御装置３２１から引き出されている信号線は、通線孔１５１と電線挿通孔５０２に挿通されて第２固定部５１内に引き込まれている。
【００３５】
ここで、ボルト挿通孔１５０及び雌ねじ部５０１は、器具本体１（の上部）の上面の法線（上下方向の直線）に対して、ボルト１５２が差し込まれる向きをゼロより大きく、直角よりも小さい角度φに傾けて設けられている（図８参照）。なお、この角度φは、３５°〜４５°程度が好ましい。
【００３６】
次に、照明器具Ｘの組立手順を説明する。まず、組立作業を行う作業者は、取付板３１の第１取付面３１０に４つのＬＥＤユニット３０を取り付けるとともに、取付板３１の第２取付面３１１に電源ユニット３２を取り付けることで点灯ユニット３を組み立てる。それから、作業者は、防水パッキン４２の溝４２０に外鍔部４１を挿入してグローブ４に防水パッキン４２を装着する。さらに、作業者は、器具本体１の上からグローブ本体４０を窓孔１０に挿入し、防水パッキン４２で覆われている外鍔部４１を第２段部１３の上に載せた後、点灯ユニット３の取付板３１を第１段部１２の上に載せる（図９及び図１０参照）。このとき、取付板３１に設けられている６つのねじ挿通孔３１３と、第１段部１２に設けられている６つの雌ねじ部１２０とが、上下方向に沿って各別に繋がる。そして、作業者は、取付板３１の６つのねじ挿通孔３１３に、それぞれ上からねじ（図示せず）を挿通し、それら６本のねじを６つの雌ねじ部１２０にそれぞれねじ込むことで取付板３１を器具本体１に取り付ける。このとき、グローブ４は、外鍔部４１が防水パッキン４２を介して取付板３１と器具本体１（の第２段部１３）との間に挟み込まれて器具本体１に取り付けられる（図１０参照）。
【００３７】
続いて、作業者は、上述したように、２本のボルト１５２を用いて、アーム５の第１固定部５０を器具本体１のアーム取付台座１５に固定する。ここで、ボルト挿通孔１５０にボルト１５２が差し込まれる向きが、器具本体１の上面の法線に対して角度φに傾けられている。そのため、工具を使ってボルトを締め付ける際、器具本体１内に作業者の手を入れる必要がなく、作業性の向上が図られている。なお、角度φがゼロ、つまり、ボルト挿通孔１５０にボルト１５２が差し込まれる向きが器具本体１の上面の法線方向に一致する場合、アーム５の雌ねじ部５０１の長さを確保するために第１固定部５０が大きくなってしまう可能性がある。これに対して、角度φがゼロより大きく、直角よりも小さい角度とされていれば、作業性の向上を図りつつ、アーム５の大型化を抑制することができる。
【００３８】
また、器具本体１において、取付板３１がねじ止めされる第１段部１２がボルト挿通孔１５０よりも下方に配置されている。そのため、器具本体１にアーム５が取り付けられる前に、器具本体１への点灯ユニット３の取付が可能となっている。したがって、器具本体１への点灯ユニット３の取付作業時にアーム５が邪魔にならず、組立の作業性の向上を図ることができる。
【００３９】
さらに、ボルト挿通孔１５０から離れた位置（取付板３１の中央）に電源ユニット３２が取り付けられているため、ボルト１５２の締め付け作業時に電源ユニット３２の電源装置３２０及び制御装置３２１が作業の邪魔になり難い。そのため、照明器具Ｘは、組立の作業性の更なる向上を図ることができる。
【００４０】
アーム５を取り付けた後、作業者は、器具本体１の周壁１１の上にカバー２を被せ、カバー本体２０の６つのねじ挿通孔２２０に、６本の固定ねじ２３をそれぞれ上から挿通し、器具本体１の６つのボス１４のねじ孔１４０に各別にねじ込んでカバー２を固定する。このようにして、器具本体１にカバー２が取り付けられると、照明器具Ｘの組立作業が完了する。
【００４１】
照明器具Ｘは、アーム５の第２固定部５１がポールの先端に固定されてポールに取り付けられている。４つのＬＥＤユニット３０は、ＬＥＤモジュール３００から放射される光の配光をレンズ３０２で制御し、かつ、レンズ３０２で制御しきれない一部の光（レンズ３０２の後方に出射する光）を反射板３３０で反射させている。その結果、照明器具Ｘは、建物の入り口などを照らすために前方への光量を増大させることができる。ただし、照明器具Ｘの配光特性は一例であって、ポールの周囲全体にほぼ均一の光量で照射したり、道路に沿ったポールの左右両側の光量を増大させるような配光特性であっても構わない。
【００４２】
上述のように照明器具Ｘは、地面に立てられたポールに取り付けられる照明器具である。照明器具Ｘは、上面が開口した箱状に形成されている。照明器具Ｘは、光源（ＬＥＤユニット３０）を含む点灯ユニット３を内部に収容する器具本体１と、器具本体１に取り付けられて上面の開口を塞ぐカバー２と、器具本体１をポールに固定するためのアーム５とを備えている。アーム５は、器具本体１に固定される第１固定部５０と、ポールに固定される第２固定部５１とを有している。器具本体１は、外周面で第１固定部５０と接触する周壁１１と、周壁１１に設けられた、ボルト１５２を挿通するための１つ又は複数のボルト挿通孔１５０とを有している。第１固定部５０は、１つ又は複数のボルト挿通孔１５０にそれぞれ挿通される１つ又は複数のボルト１５２がねじ込まれる１つ又は複数の雌ねじ部５０１を有している。ボルト挿通孔１５０及び雌ねじ部５０１は、開口した上面の法線に対して、ボルト１５２が差し込まれる向きをゼロより大きく、直角よりも小さい角度φに傾けて設けられている。
【００４３】
照明器具Ｘが上述のように構成されれば、工具を使ってボルト１５２を締め付ける際、器具本体１内に作業者の手を入れる必要がないので、器具本体１内に作業者の手を入れる場合と比較して、組立の作業性の向上を図ることができる。しかも、角度φがゼロより大きくされているため、照明器具Ｘは、アーム５の大型化を抑制することができる。
【００４４】
また、照明器具Ｘにおいて、点灯ユニット３は、１つ又は複数のＬＥＤユニット３０と、ＬＥＤユニット３０が一方の面（下面）に取り付けられた取付板３１とを有していることが好ましい。取付板３１は、ＬＥＤユニット３０が下方を向くように器具本体１に固定され、器具本体１内においてボルト挿通孔１５０の開口端よりも下方に配置されていることが好ましい。
【００４５】
照明器具Ｘが上述のように構成されれば、器具本体１に点灯ユニット３が収容されている状態で器具本体１にアーム５が取付可能であるので、器具本体１への点灯ユニット３の取付作業時にアーム５が邪魔にならず、組立の作業性の更なる向上を図ることができる。
【００４６】
さらに、照明器具Ｘにおいて、ＬＥＤユニット３０に給電して点灯させる電源装置３２０を備えていることが好ましい。電源装置３２０は、取付板３１の他方の面（上面）においてボルト挿通孔１５０から離れた位置に配置されていることが好ましい。
【００４７】
照明器具Ｘが上述のように構成されれば、ボルト１５２の締め付け作業時に電源装置３２０が作業の邪魔になり難いので、組立の作業性の更なる向上を図ることができる。
【符号の説明】
【００４８】
Ｘ  照明器具
１  器具本体
２  カバー
３  点灯ユニット
５  アーム
１１  周壁
３０  ＬＥＤユニット（光源）
３１  取付板
５０  第１固定部
５１  第２固定部
１５０  ボルト挿通孔
１５２  ボルト
３２０  電源装置
５０１  雌ねじ部
【図１】
0006618009.tif 000002
【図２】
0006618009.tif 000003
【図３】
0006618009.tif 000004
【図４】
0006618009.tif 000005
【図５】
0006618009.tif 000006
【図６】
0006618009.tif 000007
【図７】
0006618009.tif 000008
【図８】
0006618009.tif 000009
【図９】
0006618009.tif 000010
【図１０】
0006618009.tif 000011